(57)【要約】【課題】商品載置棚をケース本体の内部に容易に架設することができるショーケースを提供する。【解決手段】スライドレール１２によりブラケット部材１１に対して前後方向に進退移動自在な商品載置棚１０を備え、ブラケット部材の後端部に設けた係止片を棚支柱７の係止孔７ａに係合させて架設するショーケースであって、商品載置棚１０の棚板１３を後退位置から進出位置に向けてスライド移動させる途中位置において一時的に停止させて仮固定するストッパ機構１８を設け、棚板を後退位置から途中位置に移動させることによりブラケット部材の後端部に設けた係止片を容易に覗き見ることができるようにした。【選択図】図３
2020031845.tif 000002
【特許請求の範囲】
【請求項１】
前面に開口を有したケース本体の内部に配設される左右一対のブラケット部材と、これらのブラケット部材間に跨る態様で配設されるとともに後端に商品が転がり落ちるのを防止する転落防止壁が形成された棚板と、前記左右一対のブラケット部材にそれぞれ固定側レール部材が固定され、前記棚板の左右端部にそれぞれ可動側レール部材が固定されたスライドレールの組立体からなり、前記スライドレールにより棚部材がブラケット部材に対して後退位置と進出位置との間をスライド移動する態様で前後方向に進退移動自在な商品載置棚を備え、前記商品載置棚は、前記左右一対のブラケット部材の後端部から後方に突出するとともに上下方向に複数分散して形成された係止片を、ケース本体内部の背面板に沿って立設した左右一対の棚支柱に前面に沿って上下方向に定ピッチ間隔で穿設された係止孔に差し込んで所望の棚取付け位置に架設されるように構成されたショーケースにおいて、前記商品載置棚の固定側部材に取付けられた係止部材と、前記商品載置棚の可動側部材に取付けられ、前記係止部材に係合・離脱可能であって、前記棚板を後退位置から進出位置に向けてスライド移動させる途中において前記係止部材と係合して棚板を当該途中位置に仮固定する係合部材とからなるストッパ機構を備えたことを特徴とするショーケース。
【請求項２】
請求項１に記載のショーケースにおいて、前記ストッパ機構の係止部材は、棚板のスライド移動方向の上り下りの滑動斜面部を有する凸状の第１係止部を有し、前記係合部材は、前記係止部材の第１係止部の滑動斜面部に当接して弾性変形する弾性部材からなるとともに前記第１係止部に嵌合する嵌合部を有し、前記嵌合部が前記係止部材の第１係止部に嵌合した状態で棚板を仮固定することを特徴とするショーケース。
【請求項３】
請求項２に記載のショーケースにおいて、前記係止部材は、前方側から後方側に向けて上りの滑動斜面部とこの滑動斜面部の頂点から鉛直方向に延在する係止部とからなる鋸歯状の第２係止部を有し、前記係合部材は、前端に係合部材を弾性変形させるように操作される操作部を有するとともに棚部材が後退位置に後退した状態で第２係止部の係止部に係合するストッパ片を有し、棚部材を進出位置若しくは途中位置から後退位置に向けてスライド移動する際に前記ストッパ片が第２係止部の滑動部に当接した場合に滑動部を上る態様で弾性変形し、前記ストッパ片が第２係止部の滑動部から離脱すると復元して第２係止部の係止部に係合させる一方、前記操作部の操作により弾性変形して前記ストッパ片の第２係止部の係止部との係合状態を解除することを特徴とするショーケース。
【請求項４】
請求項１に記載のショーケースにおいて、前記ストッパ機構の係止部材を、その凸状の第１係止部を上方の突出位置と下方の退避位置に移動させる態様で揺動自在に軸支してなり、前記商品載置棚を所望の棚取付け位置に架設した際に前記係止部材の凸状の第１係止部が下方の退避位置に移動を許容して前記ストッパ機構の作動を自動的に無効化するストッパ制限手段を備えることを特徴とするショーケース。
【請求項５】
請求項４に記載のショーケースにおいて、前記ストッパ制限手段は、左右一対のブラケット部材の後端部に形成した係止片を左右一対の棚支柱に穿設された係止孔に差し込んで商品載置棚を棚取付け位置に架設した際に前記係止部材の凸状の第１係止部が下方の退避位置に移動するのを許容する一方、商品載置棚を所望の棚取付け位置から取り外した状態で前記係止部材の凸状の第１係止部が上方の突出位置に移動させたうえでその状態に保持する操作機構であることを特徴とするショーケース。
【請求項６】
請求項５に記載のショーケースにおいて、前記操作機構は、商品載置棚の固定側部材の後部に回転自在に軸支され、付勢手段により商品載置棚の固定側部材の後端部より後方に突出するように回転する態様で付勢されるとともに対のブラケット部材の後端部に形成した係止片を左右一対の棚支柱に穿設された係止孔に差し込んで商品載置棚を棚取付け位置に架設した状態では背面板に当接して商品載置棚の固定側部材の後端部に退く態様で回転するカムと、このカムと係止部材とを連繋するリンク部材とからなり、操作機構は前記商品載置棚を棚取付け位置に架設した状態で前記カムが商品載置棚の固定側部材の後端部に退く態様で回転するとリンク部材を介して前記係止部材の凸状の第１係止部が下方に移動する態様で係止部材が揺動するのを許容し、前記商品載置棚を棚取付け位置から取り外した状態では前記カムが前記付勢手段により商品載置棚の固定側部材の後端部から後方に突出ように回転すると前記リンク部材を介して前記係止部材の凸状の第１係止部が上方に移動する態様で係止部材が揺動した状態に保持することを特徴とするショーケース。
【発明の詳細な説明】
【技術分野】
【０００１】
この発明は、ショーケースに係り、より詳細には、ケース本体の内部に商品展示用の商品載置棚が上下方向に複数段架設されてなるショーケースに関するものである。
【背景技術】
【０００２】
この種のショーケースのケース本体の内部に上下方向に複数段架設される商品載置棚は、ブラケット部材、スライド機構、および棚板を備え、棚板がスライド機構を介してブラケット部材に組み付けて構成（棚アセンブリーとも称する）されてなる。ブラケット部材は、略直角三角形の形態をなし、底辺が後方に位置して鉛直方向を向く一方、斜辺が下方に位置し、斜辺の先端と底辺の直角角部を結ぶ辺が水平で前方を向く態様で配置され、前記底辺（後端部）から後方に突出する係止片を上下方向に複数分散して備え、当該係止片をケース本体の内部の背面側に配設した左右一対の棚支柱の前面に上下方向に定ピッチ間隔で穿設された係止孔に係合させることにより係止される左右一対のものである。棚板は、上面が商品を載置する載置面を構成する矩形平板状の形態を成しており、各ブラケット部材にスライド機構を介して取り付けられることで、これらブラケット部材間に跨る態様で架設されている。かかる棚板は、スライド機構により左右一対の棚支柱に係止されるブラケット部材に対して前後方向に進退移動自在である（例えば、特許文献１参照）。
【０００３】
ここで、棚アセンブリーは左右一対のブラケット部材の後端部に設けた係止片を左右一対の棚支柱に上下方向に所定間隔で形成された係止孔の任意の係止孔に係合させることによって架設位置を任意に設定（調整）することができるものである。棚アセンブリーをケース本体の内部の上下方向の所望の棚取付け位置に架設する作業、すなわち、ブラケット部材の後端部に設けた係止片を左右一対の棚支柱に穿設された所望の係止孔に係合させる作業は、棚アセンブリーを手で支持しながら目視によりブラケット部材の後端に設けた係止片を左右一対の棚支柱に穿設された任意の係止孔に係合させることにより行われる。この場合、左右一対のブラケット部材の後端部に複数分散して設けた係止片の相互間のピッチは、左右一対の棚支柱に上下方向に所定間隔で穿設された係止孔のピッチのｎ倍（ｎは正数）に一致する態様で形成され、複数の係止片のうちの一つ（例えば、最上位の係止片）を棚支柱に穿設した係止孔に係合させると残りの係止片も最上位の係止片が係合した係止孔の下方に位置する係止孔に係合するように構成されている。
【先行技術文献】
【特許文献】
【０００４】
【特許文献１】特開平８−６６２７８号公報
【発明の概要】
【発明が解決しようとする課題】
【０００５】
ところで、商品を載置する矩形平板状の棚板の後端には商品が転がり落ちるのを防止する転落防止壁が矩形平板面に対して立ち上がる態様で形成されている。そして、棚アセンブリーの棚板を後退させた状態では棚板の転落防止壁がブラケット部材の後端部近傍に位置し、棚アセンブリーの前方上方側から覗き込んだ場合、前記転落防止壁がブラケット部材の後端部に設けた複数の係止片のうちの最上位の係止片の視界を遮ることとなり、棚アセンブリーの上方側からの目視によりブラケット部材の後端に設けた複数の係止片を左右一対の棚支柱に穿設された任意の係止孔に係合させる作業を手探りで行わねばならない。この場合、棚アセンブリーを前方下方側から覗き込むことが可能な場合には、ブラケット部材の後端部に設けた複数の係止片のうちの最下位の係止片を棚支柱に穿設された任意の係止孔に係合させることにより残りの係止片も最下位の係止片が係合した係止孔の上方に位置する係止孔に係合させることができるものの、棚アセンブリーを前方下方側から覗き込むことができる範囲が限られるとともに作業者に無理な姿勢を強要することになる。
【０００６】
棚アセンブリーの棚板を進出させた状態とすれば棚板の転落防止壁がブラケット部材の後端部から離隔するので、棚アセンブリーの上方側からの目視によりブラケット部材の後端に設けた複数の係止片を左右一対の棚支柱に穿設された所望の係止孔に係合させることが可能となる。しかしながら、棚板を進出させた状態では棚アセンブリーの前後方向の幅が広くなることから、左右一対のブラケット部材の係止片を左右一対の棚支柱に穿設された係止孔に係合させるための目視距離が長くなるとともに左右一対のブラケット部材の係止片を左右一対の棚支柱に穿設された係止孔に対峙させるようにバランスを保ちながら棚アセンブリーを支持せねばならないので作業性が悪いという課題を有する。
【０００７】
この課題を解決するため、ブラケット部材の後端に設けた複数の係止片のうちの最上位の係止片を棚板の転落防止壁よりも上方に位置するように構成することも考えられる。しかしながら、この場合には最上位の係止片を形成するために略直角三角形のブラケット部材の斜辺の先端と底辺の直角角部を結ぶ辺の後部に上方に立ち上がるアーム状の連結部を設けねばならず、連結部の幅（前後方向長さ）分だけケース本体内部の展示スペースが削減されてしまうとともにブラケット部材自体を設計変更せねばならないので得策ではない。
【０００８】
本発明は上記の点に鑑みなされたものであり、その目的は前記課題を解決し、商品載置棚をケース本体の内部に容易に架設することができるショーケースを提供することにある。
【課題を解決するための手段】
【０００９】
上記目的を達成するために請求項１にかかる発明は、前面に開口を有したケース本体の内部に配設される左右一対のブラケット部材と、これらのブラケット部材間に跨る態様で配設されるとともに後端に商品が転がり落ちるのを防止する転落防止壁が形成された棚板と、前記左右一対のブラケット部材にそれぞれ固定側レール部材が固定され、前記棚板の左右端部にそれぞれ可動側レール部材が固定されたスライドレールの組立体からなり、前記スライドレールにより棚部材がブラケット部材に対して後退位置と進出位置との間をスライド移動する態様で前後方向に進退移動自在な商品載置棚を備え、前記商品載置棚は、前記左右一対のブラケット部材の後端部から後方に突出するとともに上下方向に複数分散して形成された係止片を、ケース本体内部の背面板に沿って立設した左右一対の棚支柱に前面に沿って上下方向に定ピッチ間隔で穿設された係止孔に差し込んで所望の棚取付け位置に架設されるように構成されたショーケースにおいて、前記商品載置棚の固定側部材に取付けられた係止部材と、前記商品載置棚の可動側部材に取付けられ、前記係止部材に係合・離脱可能であって、前記棚板を後退位置から進出位置に向けてスライド移動させる途中において前記係止部材と係合して棚板を当該途中位置に仮固定する係合部材とからなるストッパ機構を備えたことを特徴とする。
【００１０】
また、請求項２にかかる発明は、請求項１に記載のショーケースにおいて、前記ストッパ機構の係止部材は、棚板のスライド移動方向の上り下りの滑動斜面部を有する凸状の第１係止部を有し、前記係合部材は、前記係止部材の第１係止部の滑動斜面部に当接して弾性変形する弾性部材からなるとともに前記第１係止部に嵌合する嵌合部を有し、前記嵌合部が前記係止部材の第１係止部に嵌合した状態で棚板を仮固定することを特徴とする。
【００１１】
また、請求項３にかかる発明は、請求項２に記載のショーケースにおいて、前記係止部材は、前方側から後方側に向けて上りの滑動斜面部とこの滑動斜面部の頂点から鉛直方向に延在する係止部とからなる鋸歯状の第２係止部を有し、前記係合部材は、前端に係合部材を弾性変形させるように操作される操作部を有するとともに棚部材が後退位置に後退した状態で第２係止部の係止部に係合するストッパ片を有し、棚部材を進出位置若しくは途中位置から後退位置に向けてスライド移動する際に前記ストッパ片が第２係止部の滑動部に当接した場合に滑動部を上る態様で弾性変形し、前記ストッパ片が第２係止部の滑動部から離脱すると復元して第２係止部の係止部に係合させる一方、前記操作部の操作により弾性変形して前記ストッパ片の第２係止部の係止部との係合状態を解除することを特徴とする。
【００１２】
また、請求項４にかかる発明は、請求項１に記載のショーケースにおいて、前記ストッパ機構の係止部材を、その凸状の第１係止部を上方の突出位置と下方の退避位置に移動させる態様で揺動自在に軸支してなり、前記商品載置棚を所望の棚取付け位置に架設した際に前記係止部材の凸状の第１係止部が下方の退避位置に移動を許容して前記ストッパ機構の作動を自動的に無効化するストッパ制限手段を備えることを特徴とする。
【００１３】
また、請求項５にかかる発明は、請求項４に記載のショーケースにおいて、前記ストッパ制限手段は、左右一対のブラケット部材の後端部に形成した係止片を左右一対の棚支柱に穿設された係止孔に差し込んで商品載置棚を棚取付け位置に架設した際に前記係止部材の凸状の第１係止部が下方の退避位置に移動するのを許容する一方、商品載置棚を所望の棚取付け位置から取り外した状態で前記係止部材の凸状の第１係止部が上方の突出位置に移動させたうえでその状態に保持する操作機構であることを特徴とする。
【００１４】
また、請求項６にかかる発明は、請求項５に記載のショーケースにおいて、前記操作機構は、商品載置棚の固定側部材の後部に回転自在に軸支され、付勢手段により商品載置棚の固定側部材の後端部より後方に突出するように回転する態様で付勢されるとともに対のブラケット部材の後端部に形成した係止片を左右一対の棚支柱に穿設された係止孔に差し込んで商品載置棚を棚取付け位置に架設した状態では背面板に当接して商品載置棚の固定側部材の後端部に退く態様で回転するカムと、このカムと係止部材とを連繋するリンク部材とからなり、操作機構は前記商品載置棚を棚取付け位置に架設した状態で前記カムが商品載置棚の固定側部材の後端部に退く態様で回転するとリンク部材を介して前記係止部材の凸状の第１係止部が下方に移動する態様で係止部材が揺動するのを許容し、前記商品載置棚を棚取付け位置から取り外した状態では前記カムが前記付勢手段により商品載置棚の固定側部材の後端部から後方に突出ように回転すると前記リンク部材を介して前記係止部材の凸状の第１係止部が上方に移動する態様で係止部材が揺動した状態に保持することを特徴とする。
【発明の効果】
【００１５】
本発明の請求項１に係るショーケースによれば、前面に開口を有したケース本体の内部に配設される左右一対のブラケット部材と、これらのブラケット部材間に跨る態様で配設されるとともに後端に商品が転がり落ちるのを防止する転落防止壁が形成された棚板と、前記左右一対のブラケット部材にそれぞれ固定側レール部材が固定され、前記棚板の左右端部にそれぞれ可動側レール部材が固定されたスライドレールの組立体からなり、前記スライドレールにより棚板がブラケット部材に対して後退位置と進出位置との間をスライド移動する態様で前後方向に進退移動自在な商品載置棚を備え、前記商品載置棚は、前記左右一対のブラケット部材の後端部から後方に突出するとともに上下方向に複数分散して形成された係止片を、ケース本体内部の背面板に沿って立設した左右一対の棚支柱に前面に沿って上下方向に定ピッチ間隔で穿設された係止孔に差し込んで所望の棚取付け位置に架設されるように構成されたショーケースにおいて、前記商品載置棚の固定側部材に取付けられた係止部材と、前記商品載置棚の可動側部材に取付けられ、前記係止部材に係合・離脱可能であって、前記棚板を後退位置から進出位置に向けてスライド移動させる途中において前記係止部材と係合して棚板を当該途中位置に仮固定する係合部材とを備えたことにより、棚板を後退位置から進出位置に向けてスライド移動させる途中の途中位置に仮固定することが可能となり、商品載置棚をケース本体の内部に架設する際、棚板を途中位置に仮固定すれば棚板の後端に形成した転落防止壁が後退位置から前方に移動して左右一対のブラケット部材の後端部に設けた複数の係止片のうちの最上位の係止片を容易に覗き見ることができるようになるので、左右一対のブラケット部材の係止片を左右一対の棚支柱に穿設された係止孔に係合させて商品載置棚をケース本体の内部に架設する作業性の向上を図ることができるという効果を奏する。また、係止部材と係合部材とを追加装備すればよいので、商品載置棚の構成部品を設計変更する必要がないという効果を有する。
【００１６】
また、本発明の請求項２に係るショーケースによれば、請求項１に記載のショーケースにおいて、前記係止部材は、棚板のスライド移動方向の上り下りの滑動斜面部を有する凸状の第１係止部を有し、前記係合部材は、前記係止部材の第１係止部の滑動斜面部に当接して弾性変形する弾性部材からなるとともに前記第１係止部に嵌合する嵌合部を有し、前記嵌合部が前記係止部材の第１係止部に嵌合した状態で棚板を仮固定するように構成したことにより、係合部材の係止部材への係合・離脱を係合部材の弾性変形により行うことができるので、棚板を前後方向にスライド移動させるのみにより実現できという効果を有する。
【００１７】
また、本発明の請求項３に係るショーケースによれば、請求項２に記載のショーケースにおいて、前記係止部材は、前方側から後方側に向けて上りの滑動斜面部とこの滑動斜面部の頂点から鉛直方向に延在する係止部とからなる鋸歯状の第２係止部を有し、前記係合部材は、前端に係合部材を弾性変形させるように操作される操作部を有するとともに棚部材が後退位置に後退した状態で第２係止部の係止部に係合するストッパ片を有し、棚部材を進出位置若しくは途中位置から後退位置に向けてスライド移動する際に前記ストッパ片が第２係止部の滑動部に当接した場合に滑動部を上る態様で弾性変形し、前記ストッパ片が第２係止部の滑動部から離脱すると復元して第２係止部の係止部に係合させる一方、前記操作部の操作により弾性変形して前記ストッパ片の第２係止部の係止部との係合状態を解除するように構成することにより、係止部材と係合部材とに、棚板を後退位置から進出位置に向けてスライド移動させる途中の途中位置に仮固定する機能と、棚板を後退位置に係止固定する機能を持たせることができるという効果を有する。
【００１８】
また、本発明の請求項４に係るショーケースによれば、請求項１に記載のショーケースにおいて、前記ストッパ機構の係止部材を、その凸状の第１係止部を上方の突出位置と下方の退避位置に移動させる態様で揺動自在に軸支してなり、前記商品載置棚を所望の棚取付け位置に架設した際に前記係止部材の凸状の第１係止部が下方の退避位置に移動を許容して前記ストッパ機構の作動を自動的に無効化するストッパ制限手段を備えることにより、商品載置棚を棚支柱の棚取付け位置に架設した状態ではストッパ機構の作用を制限し、ストッパ機構の作用を制限しない場合に生ずるところの、棚板を進出位置に向けてスライド移動させる際に係合部材の係止部材への係合・離脱の衝撃による棚板のバウンドによって商品が倒れたり、商品の整列が乱れるというおそれをなくして棚板のスムーズな移動を達成することができるという効果を有する。
【００１９】
また、本発明の請求項５に係るショーケースによれば、請求項４に記載のショーケースにおいて、前記ストッパ制限手段は、左右一対のブラケット部材の後端部に形成した係止片を左右一対の棚支柱に穿設された係止孔に差し込んで商品載置棚を棚取付け位置に架設した際に前記係止部材の凸状の第１係止部が下方の退避位置に移動するのを許容する一方、商品載置棚を所望の棚取付け位置から取り外した状態で前記係止部材の凸状の第１係止部が上方の突出位置に移動させたうえでその状態に保持する操作機構であることにより、商品載置棚をケース本体の内部から取り外した状態では係合部材の係止部材へ係合させて棚板を後退位置から進出位置に向けてスライド移動させる途中の途中位置に仮固定することができる一方、商品載置棚をケース本体の内部に架設した状態では係合部材の係止部材への係合・離脱を自動的に無効化することができるという効果を有する。
【００２０】
また、本発明の請求項６に係るショーケースによれば、請求項５に記載のショーケースにおいて、前記操作機構は、商品載置棚の固定側部材の後部に回転自在に軸支され、付勢手段により商品載置棚の固定側部材の後端部より後方に突出するように回転する態様で付勢されるとともに左右一対のブラケット部材の後端部に形成した係止片を左右一対の棚支柱に穿設された係止孔に差し込んで商品載置棚を棚取付け位置に架設した状態では背面板に当接して商品載置棚の固定側部材の後端部に退く態様で回転するカムと、このカムと係止部材とを連繋するリンク部材とからなり、操作機構は前記商品載置棚を棚取付け位置に架設した状態で前記カムが商品載置棚の固定側部材の後端部に退く態様で回転するとリンク部材を介して前記係止部材の凸状の第１係止部が下方に移動する態様で係止部材が揺動するのを許容し、前記商品載置棚を棚取付け位置から取り外した状態では前記カムが前記付勢手段により商品載置棚の固定側部材の後端部から後方に突出ように回転すると前記リンク部材を介して前記係止部材の凸状の第１係止部が上方に移動する態様で係止部材が揺動した状態に保持することにより、操作機構をカムと、このカムを付勢する付勢手段と、リンク部材という簡単な構成により実現できるという効果を有する。
【図面の簡単な説明】
【００２１】
【図１】本発明の実施の形態１であるショーケースを示す断面側面図である。
【図２】実施の形態１の商品載置棚を左右一対の棚支柱とともに示し、商品載置棚の棚板を後退位置から進出位置に向かう途中位置にスライドさせた状態を示す右斜め上方から見た斜視図である。
【図３】図２の商品載置棚を左右一対の棚支柱とともに示し、（ａ）はその右斜め下方から見た斜視図、（ｂ）は（ａ）の要部を拡大して示す拡大斜視図である。
【図４】図２に示した１つの商品載置棚の分解斜視図である。
【図５】図２に示した棚板を示し、（ａ）はその分解図、（ｂ）は右斜め下方から見た棚板の組立図である。
【図６】係止部材の斜視図である。
【図７】係合部材の斜視図である。
【図８】図２の商品載置棚の棚板を後退位置に後退させた状態を示し、（ａ）はその左側のブラケット部材を含む構成部材の内側から見た側面図、（ｂ）はブラケット部材と棚板とストッパ機構の関係を示す主要部の斜視図である。
【図９】図２の商品載置棚の棚板を中間位置に停止させた状態を示し、（ａ）はその左側のブラケット部材を含む構成部材の内側から見た側面図、（ｂ）はブラケット部材と棚板とストッパ機構の関係を示す主要部の斜視図である。
【図１０】図２の商品載置棚の棚板を進出位置に進出させた状態を示し、（ａ）はその左側のブラケット部材を含む構成部材の内側から見た側面図、（ｂ）はブラケット部材と棚板とストッパ機構の関係を示す主要部の斜視図である。
【図１１】本発明の実施の形態２であるショーケースにおける商品載置棚を示し、商品載置棚の棚板を後退位置に後退させた状態における左側のブラケット部材を含む構成部材の内側から見た側面図である。
【図１２】図１１に示したストッパ制限手段を示し、（ａ）はその斜視図、（ｂ）は（ａ）の分解図である。
【図１３】図１１に示した商品載置棚の棚板を中間位置に停止させた状態における左側のブラケット部材を含む構成部材の内側から見た側面図である。
【図１４】図１３に示した商品載置棚を棚支柱に取付けた状態における左側のブラケット部材を含む構成部材の内側から見た側面図である。
【図１５】図１４に示した商品載置棚の棚板を後退位置に後退させた状態における左側のブラケット部材を含む構成部材の内側から見た側面図である。
【発明を実施するための形態】
【００２２】
以下に添付図面を参照して、本発明に係るショーケースの好適な実施の形態について詳細に説明する。
【００２３】
＜実施の形態１＞
図１は、本発明の実施の形態１であるショーケースを示す断面側面図である。ここで例示するショーケースは、例えばコンビニエンスストア等の店舗において販売する商品をケース本体１の内部に収納するようにしたものである。本実施の形態１では特に、要冷蔵商品を収納するための冷蔵用ショーケースを例示している。
【００２４】
図１に示すようにこのショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、ケース本体１の下部に配設される図示を省略したコンデンシングユニットとともに冷凍サイクルを構成し、通過する空気との間において熱交換を行うものである。このショーケースでは、図示を省略したコンデンシングユニット及び送風ファン６を駆動すれば、蒸発器５を通過した空気が通風ダクト３を通じて収納室４に循環供給され、収納室４が所望の冷蔵温度に維持されることになる。
【００２５】
ケース本体１は、前面に開口部（以下、前面開口ともいう）を有した箱状を成すもので、収納室４に複数段の商品載置棚１０を備えている。収納室４の各段の商品載置棚１０は、同様の構成を有したものであるから、以下では１つの商品載置棚１０について説明を行う。
【００２６】
図２及び図３は、それぞれ図１に示した１つの商品載置棚１０を左右一対の棚支柱７とともに示すもので、図２は右側斜め上方から見た斜視図、図３の（ａ）は右側斜め下方から見た斜視図、図３の（ｂ）は（ａ）の要部を拡大して示す拡大斜視図である。商品載置棚１０は、図２及び図３に示すように、左右一対のブラケット部材１１，１１、スライドレール１２，１２および棚板１３の組立体（棚アセンブリーと称する）からなり、棚板１３を後退位置に保持および後退位置から進出位置にスライド移動する途中の途中位置に保持するための係止部材１６，１６と係合部材１７，１７からなるストッパ機構１８とを備えている。なお、左右一対のブラケット部材１１，１１、スライドレール１２，１２、および係止部材１６，１６と係合部材１７，１７からなるストッパ機構１８などは左右対称になるものであり、以下では正面視左側の構成部材について説明し、右側の構成部材については説明を割愛する。
【００２７】
ブラケット部材１１は、背面板２の左右両側に取り付けた棚支柱７から前方に突出するように配設したものである。つまり、ブラケット部材１１は、ケース本体１の内部である収納室４に互いに離隔する態様で前方に向けて配設した左右一対のものである。以下においては便宜上、左右一対のブラケット部材１１において互いに近接した方向を内側と称し、互いに離反した方向を外側と称して説明する。なお、棚支柱７の前面には係止孔７ａが上下方向に定ピッチ間隔で穿設されているものである。
【００２８】
ブラケット部材１１は、図４にも示すように、略直角三角形の形態をなし、底辺が後方に位置して鉛直方向を向く一方、斜辺が下方に位置し、斜辺の先端と底辺の直角角部を結ぶ辺が水平で前方を向く態様で配置される。ブラケット部材１１は、その底辺となる後端部から後方に突出する係止片１１ａが上下方向に複数分散して形成されている。これら係止片１１ａは、棚支柱７の前面に設けられた係止孔７ａの任意に挿入することが可能であり、上下方向に分散した複数の係止片１１ａの相互間のピッチが係止孔７ａのピッチのｎ倍（ｎは正数）に一致するように形成されている。したがって、複数の係止片１１ａののうちの一つ（例えば、最上位の係止片１１ａ）を棚支柱７に穿設した係止孔７ａの一つに係合させると残りの係止片１１ａも最上位の係止片１１ａが係合した係止孔７ａの下方に位置する係止孔７ａに係合するように構成されているものである。前記係止片１１ａを棚支柱７の係止孔７ａに挿入した場合には、ブラケット部材１１の後端部分が棚支柱７の前面に当接することになり、ブラケット部材１１を棚支柱７の任意の高さに略水平の片持ち状態で支持させることが可能である。
【００２９】
ブラケット部材１１の後端側上辺にはそれぞれ内側を向く固定片１１ｂが形成されている。これらの固定片１１ｂ，１１ｂには左右一対のブラケット部材１１，１１を連結する連結板１４の両端部が固着されている。この連結板１４により左右一対のブラケット部材１１，１１の間の間隔が一定に保たれるように構成されている。
【００３０】
スライドレール１２は、断面略Ｃ字状に形成され、かつ、上下の湾曲部をボール（鋼製の玉）の案内溝とする前後方向に長尺状の固定側レール部材１２１と、この固定側レール部材１２１と同様の構成をなす態様で形成されて前記固定側レール部材１２１に対向配置された可動側レール部材１２２と、この固定側レール部材１２１と可動側レール部材１２２と間に配設され、かつ、固定側レール部材１２１と可動側レール部材１２２の案内溝に対向して複数のボールを保持して摺動し、固定側レール部材１２１に対して可動側レール部材１２２の相対的なスライドを許容する摺動部材（不図示）を備えた周知のものである。
【００３１】
スライドレール１２は保護枠１５により覆われて保護されている。保護枠１５は、断面略Ｕ字状に形成された前後方向に長尺状の板金製になり、スライドレール１２より一回り大きく構成してある。保護枠１５は、一方（外側）の脚片部１５１が前記ブラケット部材１１に固着されることによりブラケット部材１１と一体をなすものである。前記スライドレール１２の固定側レール部材１２１は、前記ブラケット部材１１に一体的に固定された保護枠１５の脚片部１５１の内側に配置する態様で前記ブラケット部材１１に固定され、スライドレール１２がブラケット部材１１と一体をなすように構成されている。スライドレール１２の可動側レール部材１２２には棚板１３が取付けられるが、これについては後述する。なお、保護枠１５の他方（内側）の脚片部１５２の後端側はブラケット部材１１の固定片１１ｂとの干渉を防止するために切り欠かれている。
【００３２】
棚板１３は、図５にも示すように、左右一対のブラケット部材１１，１１に跨る大きさの矩形平板状に形成され、その平板面が販売する商品が載置される載置面を構成している。この棚板１３の左右両側壁１３１，１３１は左右一対のブラケット部材１１，１１の外側に位置している。棚板１３の商品を載置する載置面の後端には商品が転がり落ちるのを防止する転落防止壁１３２が載置面に対して立ち上がる態様で形成されている。棚板１３の載置面の前端は下方に向けて延在する前壁１３３として形成され、この前壁１３３には不図示の化粧枠が取付けられる。
【００３３】
この棚板１３の下面であって左右両側壁１３１，１３１の内側には、前後方向に長尺状のレール連結部材１３４，１３４が設けてある。このレール連結部材１３４は、上側壁部１３４１と内側側壁部１３４２とからなる板金製である。レール連結部材１３４は、上側壁部１３４１を棚板１３の下面に固着することにより棚板１３と一体に組み付けられる。この場合、レール連結部材１３４の内側側壁部１３４２が保護枠１５の内部に位置してスライドレール１２の可動側レール部材１２２の内側に位置する態様で上側壁部１３４１は棚板１３の下面に固着される。そして、レール連結部材１３４の内側側壁部１３４２をスライドレール１２の可動側レール部材１２２に結合させることにより、棚１３がスライドレール１２を介してブラケット部材１１に対して相対的にスライド移動自在となる。
【００３４】
また、棚板１３の下面の前後方向の略中間位置には断面皿状で左右方向に長尺の補強部材１３５が固着され、この補強部材３５の前方側に断面Ｖ字状で左右方向に長尺の照明灯取付具１３６が固着されている。なお、照明灯取付具１３６にはＬＥＤを内蔵する照明ユニットが取付けられるものであるが、照明ユニットについては省略している。
【００３５】
棚板１３を後退位置に保持および後退位置から進出位置にスライド移動する途中の途中位置に保持するストッパ機構１８を構成する係止部材１６は、図６にも示すように、前後方向に細長い短冊状の鋼板製になり、前後端部にねじ挿通穴１６ａ，１６ａが穿孔されている。前後のねじ挿通穴１６ａ，１６ａのうち、後方側のねじ挿通穴１６ａは前方側のねじ挿通穴１６ａを支点に円弧状の長孔として形成されて上下方向の位置調整が可能となっている。この係止部材１６の後端側の上縁には、棚板１３のスライド移動方向に上り下りとなる滑動斜面部１６１，１６１を有する凸状の第１係止部１６２が形成されている。また、係止部材１６の前端側の上縁には、前方側から後方側に向けて上りとなる滑動斜面部１６３と、この滑動斜面部１６３の頂点から鉛直方向に延在する係止部１６４とからなる鋸歯状の第２係止部１６５が形成されている。
【００３６】
この係止部材１６は、商品載置棚の固定側部材としての保護枠１５の他方（内側）の脚片部１５２にねじ止めされる。この場合、係止部材１６は、その第１係止部１６２および第２係止部１６５が脚片部１５２の上縁から上方に突出する態様で脚片部１５２にねじ止めされる。
【００３７】
棚板１３を後退位置に保持および後退位置から進出位置にスライド移動する途中の途中位置に保持するストッパ機構１８を構成する係合部材１７は、図７にも示すように、前後方向に細長い帯状の弾性部材になり、帯状の中間部には前後両端側の弾性変形を損なわない範囲で複数のねじ挿通穴１７ａが穿孔されている。この係合部材１７の後端側には、外側に張り出すとともに上下方向に起伏し、係止部材１６の第１係止部１６２に嵌合する態様の嵌合部１７１が形成されている。また、係合部材１７の前端には、下方に折り曲げて形成した操作部１７２が設けられている。さらに、係合部材１７の操作部１７２の後方側には、外側に張り出すストッパ片１７３が形成されている。
【００３８】
この係合部材１７は、棚板１３の下面に固着された補強部材１３５にねじ止めされて棚板１３のスライド移動に伴って前後方向に移動するものである。係合部材１７の嵌合部１７１およびストッパ片１７３は、係合部材１７が前後方向にスライド移動する際に係止部材１６の第１係止部１６２および第２係止部１６５に交差するように配設されてなるものである。
【００３９】
前述した左右一対のブラケット部材１１，１１、スライドレール１２，１２および棚板１３の組立体（棚アセンブリー）からなる商品載置棚１０は、ブラケット部材１１の内側に保護枠１５の一方（外側）の脚片部１５１を介してスライドレール１２の固定側レール部材１２１が固定され、このブラケット部材１１に固定側レール部材１２１を介して固定されたスライドレール１２の可動側レール部材１２２に棚板１３に設けたレール連結部材１３４が固定され、スライドレール１２を覆う保護枠１５の他方（内側）の脚片部１５２に係止部材１６が固定され、棚板１３の下面に設けた補強部材１３５に係合部材１７が固定されてなる。
【００４０】
かかる構成になる商品載置棚（棚アセンブリー）１０は、スライドレール１２によりブラケット部材１１に対して棚板１３が後退位置と進出位置との間をスライド移動自在であり、ブラケット部材１１、棚板１３、係止部材１６と係合部材１７からなるストッパ機構１８との関係を図８乃至図１０を用いて説明する。図８は商品載置棚１０の棚板１３を後退位置に後退させた状態を示し、（ａ）は左側のブラケット部材を含む構成部材の内側から見た側面図、（ｂ）はブラケット部材１１と棚板１３とストッパ機構１８の関係を示す主要部の斜視図、図９は棚アセンブリー１０から棚板１３を中間位置に停止させた状態を示し、（ａ）は左側のブラケット部材を含む構成部材の内側から見た側面図、（ｂ）はブラケット部材１１と棚板１３とストッパ機構１８の関係を示す主要部の斜視図、図１０は棚アセンブリーから棚板１３を進出位置に進出させた状態を示し、（ａ）はその正面視左側のブラケット部材を含む構成部材の内側から見た側面図、（ｂ）はブラケット部材１１と棚板１３とストッパ機構の関係を示す主要部の斜視図である。なお、図８乃至図１０の（ｂ）ではストッパ機構を見やすくするため、棚板１３に関してはその下面に設けたレール連結部材１３４のみを示している。
【００４１】
図８に示すように、ブラケット部材１１に対して棚板１３を後退位置に後退させた状態では、係合部材１７のストッパ片１７３が係止部材１６の第２係止部１６５における係止部１６４に係合して棚板１３は後退位置に保持される。棚板１３を後退位置から進出位置に移動させる場合には係合部材１７の前端に形成した操作部１７２の下端に指を当てて上方に持ち上げて係合部材１７を弾性変形させると係合部材１７のストッパ片１７３が係止部材１６の第２係止部１６５における係止部１６４から離脱する。係合部材１７のストッパ片１７３を係止部材１６の第２係止部１６５における係止部１６４から離脱させた状態で棚板１３を進出位置に向けて移動させるとブラケット部材１１に対して棚板１３が進出位置に向けて移動する。この棚板１３を後退位置から進出位置にスライド移動する途中において係合部材１７の後端側に、外側に張り出す態様で設けた上下方向に起伏する嵌合部１７１の前方側の下縁が係止部材１６の後端側に設けた凸状の第１係止部１６２の後方側の滑動斜面部１６１に当接すると係合部材１７が上方に弾性変形し、前記嵌合部１７１の前方側の下縁が係止部材１６の後端側に設けた凸状の第１係止部１６２の後方側の滑動斜面部１６１を乗り越えると係合部材１７が復元して嵌合部１７１が係止部材１６の後端側に設けた凸状の第１係止部１６２に嵌合し（図９参照）、この際、棚板１３を持つ手にノッチ感覚（衝撃）が加わるので棚板１３の移動を停止すると棚板１３は後退位置から進出位置にスライド移動する途中の途中位置で一時的に保持される。
【００４２】
係合部材１７の嵌合部１７１が係止部材１６の第１係止部１６２に嵌合した状態を引き外すような力、つまり、嵌合部１７１の後方側の下縁が係止部材１６の第１係止部１６２の後方側の滑動斜面部１６１を乗り越えるような力を棚板１３に加えると、係合部材１７は上方に弾性変形して棚板１３の途中位置での一時的な保持が解除される。この後、棚板１３を進出位置に向けて移動させるとスライドレール１２の機能により進出位置まで進出する（図１０参照）。なお、進出位置に進出した棚板１３を後退位置に移動させる際には弾性部材からなる係合部材１７の弾性変形によって係合部材１７の嵌合部１７１が係止部材１６の第１係止部１６２の滑動斜面部１６１を乗り越えるとともに係合部材１７のストッパ片１７３が係止部材１６の第２係止部１６５における滑動斜面部１６３を乗り越えて係止部１６４に係合するものである。
【００４３】
以上のような構成を有するショーケースにおいては、商品載置棚（棚アセンブリー）１０をケース本体１の内部に設けた棚支柱７，７の所望の棚取付け位置に架設する際、棚板１３を後退位置から進出位置に向けてスライド移動させたうえで左右の係合部材１７，１７の嵌合部１７１，１７１を左右の係止部材１６，１６の後端側に設けた凸状の第１係止部１６２，１６２に嵌合させて後退位置から進出位置にスライド移動する途中の途中位置で一時的に保持させる（図９参照）。このように、棚板１３が途中位置で停止すると、棚板１３の後端に設けた転落防止壁１３２が左右一対のブラケット部材１１，１１の後端より前方寄りに位置するので、転落防止壁１３２により邪魔されることなく左右一対のブラケット部材１１の後端部に設けた複数の係止片１１ａのうちの最上位の係止片１１ａを覗き見ることができるようになる。したがって、ブラケット部材１１，１１の後端部に設けた最上位の係止片１１ａを棚支柱７，７に穿設した係止孔７ａ，７ａに係合させる作業を容易に行うことができ、前記最上位の係止片１１ａを棚支柱７，７に穿設した係止孔７ａ，７ａに係合させると残りの係止片１１ａも最上位の係止片１１ａが係合した係止孔７ａ，７ａの下方に位置する係止孔７ａ，７ａに係合するので、商品載置棚１０をケース本体１の内部に設けた棚支柱７，７の所望の棚取付け位置に簡単に架設することができる。この場合、棚板１３が途中位置まで引き出された商品載置棚１０の前後方向の幅は、棚板１３を後退位置に位置させた状態よりも広くなるものの、棚板１３を進出位置に引き出した場合よりも狭くすることが可能となるので、左右一対のブラケット部材１１，１１の係止片１１ａ，１１ａを左右一対の棚支柱７，７に穿設された係止孔７ａ，７ａに係合させるための目視距離を短くすることができるとともに左右一対のブラケット部材１１，１１の係止片１１ａ，１１ａを左右一対の棚支柱７，７に穿設された係止孔７ａ，７ａに対峙させるように商品載置棚１０のバランスを保つことが可能となるものである。
【００４４】
前述したように、本発明の実施の形態１であるショーケースによれば、前面に開口を有したケース本体１の内部に配設される左右一対のブラケット部材１１，１１と、これらのブラケット部材１１，１１間に跨る態様で配設されるとともに後端に商品が転がり落ちるのを防止する転落防止壁１３２が形成された棚板１３と、前記左右一対のブラケット部材１１，１１にそれぞれ固定側レール部材１２１，１２１が固定され、前記棚板１３の左右端部にそれぞれ可動側レール部材１２２，１２２が固定されたスライドレール１２，１２の組立体からなり、前記スライドレール１２，１２により棚板１３がブラケット部材１１，１１に対して後退位置と進出位置との間をスライド移動する態様で前後方向に進退移動自在な商品載置棚（棚アセンブリー）１０を備え、前記商品載置棚（棚アセンブリー）１０は、前記左右のブラケット部材１１，１１の後端部から後方に突出するとともに上下方向に複数分散して形成された係止片１１ａを、ケース本体１内部の背面板２に沿って立設した左右一対の棚支柱７，７に前面に沿って上下方向に定ピッチ間隔で穿設された係止孔７ａ，７ａに差し込んで所望の棚取付け位置に架設されるように構成されたショーケースにおいて、前記商品載置棚（棚アセンブリー）１０の固定側部材（例えば、保護枠１５，１５）に取付けられた係止部材１６，１６と、前記商品載置棚（棚アセンブリー）１０の可動側部材（例えば、棚部材１３）に取付けられ、前記係止部材１６，１６に係合・離脱可能であって、前記棚板１３を後退位置から進出位置に向けてスライド移動させる途中において前記係止部材１６，１６と係合して棚板１３を当該途中位置に仮固定する係合部材１７，１７とを備えたことにより、棚板１３を後退位置から進出位置に向けてスライド移動させる途中の途中位置に仮固定することが可能となり、商品載置棚（棚アセンブリー）１０をケース本体１の内部に架設する際、棚板１３を途中位置に仮固定すれば棚板１３の後端に形成した転落防止壁１３２が後退位置から前方に移動して左右一対のブラケット部材１１，１１の後端部に設けた複数の係止片１１ａのうちの最上位の係止片１１ａ，１１ａを容易に覗き見ることができるようになるので、左右一対のブラケット部材１１，１１の係止片１１ａ，１１ａを左右一対の棚支柱７，７に穿設された係止孔７ａ，７ａに係合させて商品載置棚（棚アセンブリー）１０をケース本体１の内部に架設する作業性の向上を図ることができるものである。また、係止部材１６，１６と係合部材１７，１７とを追加装備すればよいので、商品載置棚（棚アセンブリー）１０の構成部品を設計変更する必要がないという利点をも有する。
＜実施の形態２＞
図１１は、本発明の実施の形態２であるショーケースの商品載置棚（棚アセンブリー）１０Ａを示し、商品載置棚１０Ａから棚板１３を後退位置に後退させた状態における正面視左側のブラケット部材を含む構成部材の内側から見た側面図である。なお、上述した実施の形態１である商品載置棚（棚アセンブリー）１０と同一の構成要素には同一の符号を付してその説明を省略する。
【００４５】
この実施の形態２であるショーケースの商品載置棚（棚アセンブリー）１０Ａが実施の形態１である商品載置棚１０と相違する点は、商品載置棚）２０を所望の棚取付け位置に架設した状態でストッパ機構１８の作動を自動的に無効化するストッパ制限手段２２を追加装備した点である。なお、この実施の形態２においてはストッパ機構１８を構成する係止部材１６は、前方側のねじ挿通穴１６ａを支点に後方側の円弧状の長孔として形成された後方側のねじ挿通穴１６ａに沿って突出位置と退避位置との間を揺動自在に配設され、外力が付与されていない状態では後方側のねじ挿通穴１６ａの上縁にねじ（段付きねじ）Ｓ２が当接する態様で自重により下方に下がった退避位置に位置するものとして構成されているものである。ここで、係止部材１６の突出位置とは係止部材１６の後端側に設けた凸状の第１係止部１６２が保護枠１５より上方に突出して係合部材１７の嵌合部１７１と係合・離脱が可能な状態を意味し、係止部材１６の退避位置とは係止部材１６の第１係止部１６２が保護枠１５の上縁より下方に位置して係合部材１７の嵌合部１７１と非接触となる状態を意味している。
【００４６】
この実施の形態２にかかるショーケースにおいて、商品載置棚１０Ａの棚板１３の固定側部材としてなる保護枠１５の一方（内側）の脚片部１５２に回転自在に軸支されるとともに一方向に回転するように付勢されたカム１９と、このカム１９と前記係止部材１６とを連繋するリンク部材２０とからなる操作機構２１がストッパ制限手段２２を構成する。
【００４７】
カム１９は、図１２にも示すように、商品載置棚１０Ａの固定側部材としての保護枠１５の一方（内側）の脚片部１５２の後部に回転自在に軸支された略半月状をなしている。このカム１９の回転軸１９１の保護枠１５における脚片部１５２への取付け位置は、半月状の部位が保護枠１５の脚片部１５２の後端部より後方に突出することができる一方、保護枠１５の脚片部１５２の領域内に退くことができる位置に定められている。
【００４８】
リンク部材２０は、図１２にも示すように、前後方向に延在する連結板部２０１と、この連結板部２０１の上縁から庇状の折り曲げられた補強部２０２と、この補強部２０２の前端に位置して斜め前方に折り曲げて形成した操作片２０３とからなる。リンク部材２０の連結板部２０１には前後方向に二つの長孔２０ａ，２０ａが穿孔され、これらの長孔２０ａ，２０ａに挿通されるねじＳ１，Ｓ１を介して保護枠１５の一方（内側）の脚片部１５２に前後方向にスライド移動可能に取付けられる。また、連結板部２０１の後端はねじＳ３を介して前記カム１９に連結されている。したがって、リンク部材２０はカム１９の回転に応じて前後方向にスライド移動する。
【００４９】
また、リンク部材２０にはコイルばね２３が張架されている（図１１では一点鎖線で示す）。このコイルばね２３は、一端が連結板部２０１に設けた前後方向に二つの長孔２０ａ，２０ａのうちの前方の長孔２０ａに挿通されたねじＳ１に係止され、他端が連結板部２０１に穿孔した係止孔２０ｂに係止されている。このコイルばね２３は、リンク部材２０を前方に向けて付勢し、このリンク部材２０を介してカム１９を、図１１，図１２に図示する状態で反時計回りの回転方向に付勢する付勢手段を構成する。
【００５０】
ストッパ制限手段２２と、突出位置と退避位置との間を揺動自在に配設された係止部材１６との関係は、操作機構２１のカム１９が無負荷の状態で前記コイルばね２３による半時計回りの回転方向への付勢によりカム１９の半月状の部位が保護枠１５の脚片部１５２の後端部より後方に突出し、この場合リンク部材２０が前方に向けてスライドして操作片２０３が係止部材１６の下方に潜り込む態様で当該係止部材１６を上方の突出位置に揺動させるように構成されている。そして、保護枠１５の脚片部１５２の後端部より後方に突出したカム１９の半月状の部位に当該カム９が時計回りの方向に回転するように外力を加えた場合、カム１９の半月状の部位が保護枠１５の脚片部１５２の後端部に退くように回転し、これに伴ってリンク部材２０が後方に向けてスライドし、その操作片２０３が係止部材１６の下方から離脱する。この操作片２０３における係止部材１６の下方からの離脱は、係止部材１６が自重により下方に下がるのを許容することを意味している。これにより、係止部材１６は自重により突出位置から下方に揺動して退避位置に移動する。
【００５１】
以上のようにストッパ制限手段２２を備えた商品載置棚１０Ａを棚支柱７，７の所望の棚取付け位置への架設について図１３乃至図１５を参照しつつ説明する。図１３は商品載置棚１０Ａの棚板１３を中間位置に停止させた状態における左側のブラケット部材１１を含む構成部材の内側から見た側面図、図１４は商品載置棚１０Ａを棚支柱７に取付けた状態における左側のブラケット部材１１を含む構成部材の内側から見た側面図、図１５は商品載置棚１０Ａの棚板１３を後退位置に後退させた状態における左側のブラケット部材１１を含む構成部材の内側から見た側面図である。なお、図１３乃至図１５においてはリンク部材２０の長孔２０ａ，２０ａの状態を明示するためにコイルばね２３は省略している。
【００５２】
さて、商品載置棚（棚アセンブリー）１０Ａをケース本体１の内部に設けた棚支柱７，７の所望の棚取付け位置に架設する際、棚板１３を後退位置から進出位置に向けてスライド移動させたうえで左右の係合部材１７，１７の嵌合部１７１，１７１を左右の係止部材１６，１６の後端側に設けた凸状の第１係止部１６２，１６２に嵌合させて後退位置から進出位置にスライド移動する途中の途中位置で一時的に保持させる（図１３参照）。このように、棚板１３が途中位置で停止すると、棚板１３の後端に設けた転落防止壁１３２が左右一対のブラケット部材１１，１１の後端より前方寄りに位置するので、転落防止壁１３２により邪魔されることなく左右一対のブラケット部材１１の後端部に設けた複数の係止片１１ａのうちの最上位の係止片１１ａを覗き見ることができるようになる。したがって、ブラケット部材１１，１１の後端部に設けた最上位の係止片１１ａを棚支柱７，７に穿設した係止孔７ａ，７ａに係合させる作業を容易に行うことができ、前記最上位の係止片１１ａを棚支柱７，７に穿設した係止孔７ａ，７ａに係合させると残りの係止片１１ａも最上位の係止片１１ａが係合した係止孔７ａ，７ａの下方に位置する係止孔７ａ，７ａに係合するので、商品載置棚１０Ａをケース本体１の内部に設けた棚支柱７，７の所望の棚取付け位置に簡単に架設することができる。この点は実施の形態１のショーケースの場合と同一である。
【００５３】
斯様に棚板１３を途中位置で一時的に保持した状態でブラケット部材１１，１１の後端部に設けた複数の係止片１１ａを棚支柱７，７に穿設した係止孔７ａ，７ａに係合させると、図１４に示すように、保護枠１５の脚片部１５２の後端部より後方に突出したカム１９の半月状の部位が棚支柱７，７の前面に当接し、カム１９はその半月状の部位が保護枠１５の脚片部１５２の後端部に退くように時計回りの回転方向に回転する。カム１９の時計回りの方向への回転とともにリンク部材２０は後方に向けてスライドし、その操作片２０３が係止部材１６の下方から離脱し、係止部材１６が自重により下方に下がるのを許容する。これにより、係止部材１６は自重により突出位置から下方に揺動して退避位置に移動し、ストッパ機構１８の作用を無効化する（図１５参照）。このように、ストッパ制限手段２２によりストッパ機構１８の作用を無効化すると、棚支柱７，７に架設された商品載置棚１０Ａから棚板１３を進出位置に向けて移動させる際、実施の形態１のショーケースではストッパ機構１８の作用（係合部材１７の嵌合部１７１が係止部材１６の第１係止部１６２に嵌合する作用）により進出位置に向けて移動させる途中で棚板１３に衝撃が加わるので、棚板１３に商品が載置されている場合には商品が倒れたり、商品の整列が乱れるおそれがあるのに対し、ストッパ制限手段２２を備えたショーケースにおいては棚板１３をスムーズに進出位置に移動させることができるという効果を有する。
【００５４】
以上のようにストッパ制限手段２２を備えた実施の形態２にかかるショーケースにおいては、実施の形態１にかかるショーケースと同様にストッパ機構１８により商品載置棚（棚アセンブリー）１０Ａをケース本体１の内部に設けた棚支柱７，７の所望の棚取付け位置に簡単に架設することができるという効果を有する一方、ストッパ制限手段２２により商品載置棚（棚アセンブリー）１０Ａをケース本体１の棚支柱７，７に架設した状態ではストッパ機構１８の作用を無効化して棚板１３のスムーズな移動を実現できるという効果を有する。
【００５５】
なお、上記実施の形態２においては、ストッパ制限手段２２をカム１９とリンク部材２０とからなる操作機構２１により構成したものについて説明したが、カム１９を削除してリンク部材２０が保護枠１５の後端から出没するように構成することもできるものであり、実施の形態の構成に限定されるものではない。
【符号の説明】
【００５６】
１…ケース本体、２…背面板、７…棚支柱、１０，１０Ａ…商品載置棚（棚アセンブリー）、１１…ブラケット部材、１２…スライドレール、１２１…固定側レール部材、１２２…可動側レール部材、１３…棚板、１５…保護枠（固定側部材）、１６…係止部材、１６２…第１係止部、１６４…係止部、１６５…第２係止部、１７…係合部材、１７１…嵌合部、１７２…操作部、１７３…ストッパ片、１８…ストッパ機構、１９…カム、２０…リンク部材、２０３…操作片、２１…操作機構、２２…ストッパ制限手段。
【図１】
2020031845.tif 000003
【図２】
2020031845.tif 000004
【図３】
2020031845.tif 000005
【図４】
2020031845.tif 000006
【図５】
2020031845.tif 000007
【図６】
2020031845.tif 000008
【図７】
2020031845.tif 000009
【図８】
2020031845.tif 000010
【図９】
2020031845.tif 000011
【図１０】
2020031845.tif 000012
【図１１】
2020031845.tif 000013
【図１２】
2020031845.tif 000014
【図１３】
2020031845.tif 000015
【図１４】
2020031845.tif 000016
【図１５】
2020031845.tif 000017